(57)【要約】【課題】容易かつ安価に製造できるよう多列コンベアを改良する。【解決手段】多行多列の多数マス２２を具備し筐体から引出可能な予備撒きカセット２０と、それより列数の多い多行多列に並んだ多数の区画室９３を具備しており筐体内に設けられて予備撒きカセット２０から一括して薬剤を受け取る多列コンベア８０と、行数より多い一列の区画室を具備し筐体内で多列コンベア８０から一列分ずつ薬剤を受け取る単列コンベア４０とを具えた薬剤手撒き装置５０において、多列コンベア８０が、平行配置されていて一緒に駆動される一対の無端ベルト８１に予備撒きカセットのマスの列数より多くの区画列部材９０を装架したものであり、区画列部材９０が、多列コンベア８０の一列分の区画室９３を一体形成したものである。区画室９３は、開口が広く内底が狭い錐台状で、内側面に縦線状突起(95)が形成され、内底が粗面になっている。【選択図】        図１
2010005225.tif 000002
【特許請求の範囲】
【請求項１】
多行多列に並んだ多数のマスを具備した予備撒きカセットと、それより列数の多い多行多列に並んだ多数の区画室を具備していて前記予備撒きカセットから一括して薬剤を受け取る多列コンベアと、その行数より個数の多い一列に並んだ多数の区画室を具備していて前記多列コンベアから一列分ずつ薬剤を受け取る単列コンベアとを具えた薬剤手撒き装置において、前記多列コンベアが、平行配置されていて一緒に駆動される一対の無端ベルトに前記予備撒きカセットのマスの列数より多くの区画列部材を装架したものであり、前記区画列部材が、前記多列コンベアの一列分の区画室を一体形成したものであることを特徴とする薬剤手撒き装置。
【請求項２】
前記区画列部材の区画室は、開口が広く内底が狭い錐台状になっていることを特徴とする請求項１記載の薬剤手撒き装置。
【請求項３】
前記区画列部材の区画室の内側面に縦線状の突起が形成されていることを特徴とする請求項１又は請求項２に記載された薬剤手撒き装置。
【請求項４】
前記区画列部材の区画室の内底が粗面になっていることを特徴とする請求項１乃至請求項３の何れかに記載された薬剤手撒き装置。
【発明の詳細な説明】
【技術分野】
【０００１】
この発明は、多数のマスが縦横に即ち多行多列に並んで形成された予備撒きカセットと該カセットから一括して薬剤を受け取る作動部材とを具えた薬剤手撒き装置に関し、詳しくは、作動部材が多列コンベアと単列コンベアとを具えており、多列コンベアが多行多列の区画室を具えており、単列コンベアが一列の区画室を具えている薬剤手撒き装置に関する。
【背景技術】
【０００２】
処方箋データや派生した調剤データに基づいて自動で錠剤等の薬剤を分包する錠剤分包機などの薬剤分包機に組み込んで使用される薬剤手撒き装置として、多行多列に並んだ多数のマスを具備しており筐体から引き出し可能に設けられた予備撒きカセットと、それより列数の多い多行多列に並んだ多数の区画室を具備しており前記筐体内に設けられて前記予備撒きカセットから一括して薬剤を受け取る多列コンベアと、その行数より個数の多い一列に並んだ多数の区画室を具備しており前記筐体内に設けられて前記多列コンベアから一列分ずつ薬剤を受け取る単列コンベアとを具えたものが実用化されている（例えば特許文献１，２参照）。
【０００３】
その具体的な構成を、図面を引用しながら、本発明の説明に役立つ程度に掻い摘んで説明する。図３は、薬剤手撒き装置１４を装備した薬剤分包機１０の構造を示し、（ａ）が正面図、（ｂ）が右側面図である。また、図４は、薬剤手撒き装置１４の構造を示し、（ａ）が正面図、（ｂ）が予備撒きカセット２０を筐体１１に収納した状態の右側面図、（ｃ）が予備撒きカセット２０を引き出した状態の右側面図である。さらに、図５は、（ａ）が予備撒きカセット２０を収納した状態の平面図、（ｂ）が予備撒きカセット２０を取り除いて見た多列コンベア３０と単列コンベア４０の平面図、（ｃ）が予備撒きカセット２０と多列コンベア３０を取り除いて見た単列コンベア４０の平面図である。
【０００４】
薬剤分包機１０は（図３参照）、錠剤分包機を図示したが、筐体１１の上段部の引出体の棚に着脱自在に設置された多数の錠剤フィーダから排出された薬剤をホッパ１３にて収集し筐体１１の下段部の包装機１２にて分包すなわち分包紙に区分包装するようになっている。薬剤手撒き装置１４は、筐体１１の中段部に内装されるが、手撒き時には筐体１１の前面から必要部分を引き出すことができ、手撒き終了後には押し戻し操作やスイッチ操作で筐体１１の中に収納され、その状態では薬剤分包機１０の分包動作に連動して薬剤をホッパ１３へ逐次排出するようになっている。
【０００５】
薬剤手撒き装置１４は（図４，図５参照）、上段の予備撒きカセット２０と、中段の多列コンベア３０と、下段の単列コンベア４０とを具えている。
予備撒きカセット２０は、カセット枠２１とマス２２と引出部材２３とシャッタ作動部材２４とモータ２５とを具えており、カセット枠２１は引出部材２３によって支持されて筐体１１の前面パネルの開口から前方へ引き出し可能になっており、図示しないスイッチ操作に応じて作動するモータ２５によってカセット枠２１が筐体１１から出入りするようになっている。多数のマス２２は、何れも薬剤投入のため上面が解放されており、何れも底面が両開きや片開きのシャッタを装備していて、シャッタ作動部材２４によって全マス同時に開閉されるようになっており、多行多列に例えば前後方向６行・左右方向１１列に並んだ状態でカセット枠２１に取り付けられている。
【０００６】
多列コンベア３０は、収納状態の予備撒きカセット２０の直下に位置して筐体１１に内蔵されており、無端ベルト３１と可動板３２と区画室３３と固定板３４とモータ３５とを具えている。区画室３３は、左右の列の間を可動板３２（隔板）にて画され、前後の行の間を固定板３４（仕切板，側板）にて画されて、マス２２とほぼ同じ面積を占有しており、底面を幅広の無端ベルト３１にて画されている。無端ベルト３１は、可撓性・弾性に富んだ合成ゴムや軟質プラスチック等から作られ、左右に配された長い支軸に掛け回して張設されて、モータ３５の作動によって循環動作するようになっている。
【０００７】
多列コンベア３０において、固定板３４は無端ベルト３１から分離して固定設置されているが、可動板３２は、無端ベルト３１と同じ材質の小さな板体からなり、無端ベルト３１の外周面に立てて植設され、無端ベルト３１に随伴して左右方向に移動するようになっている。多列コンベア３０が区画室３３に予備撒きカセット２０から一括して薬剤を受け取るために、区画室３３の行数はマス２２の行数と同じであるが、区画室３３の列数は無端ベルト３１の上側部分だけでもマス２２の列数と同じかそれ以上設けられている。このような配置の区画室３３は、マス２２より列数の多い多列に並んだものとなっている。
【０００８】
単列コンベア４０は、多列コンベア３０の一端（図では左端）の直下に位置して筐体１１に内蔵されており、無端ベルト４１と可動板４２と区画室４３と固定板４４とモータ４５とを具えている。区画室４３は、前後の室の間を可動板３２（隔板）にて画され、左右両側を固定板４４（側板）にて画されて、区画室３３と同じかそれ以上の面積を占有しており、底面を幅狭の無端ベルト４１にて画されている。無端ベルト４１は、やはり可撓性・弾性に富んだ合成ゴムや軟質プラスチック等から作られ、前後に配された短い支軸に掛け回して張設されて、モータ４５の作動によって循環動作するようになっている。
【０００９】
単列コンベア４０において、固定板４４は無端ベルト４１から分離して固定設置されているが、可動板４２は、無端ベルト４１と同じ材質の小さな板体からなり、無端ベルト４１の外周面に立てて植設され、無端ベルト４１に随伴して前後方向に移動するようになっている。単列コンベア４０が区画室４３に多列コンベア３０から左端の一列分ずつ薬剤を受け取るために、区画室４３の並びは一列であるが、区画室４３の個数は、無端ベルト４１の上側部分だけでも、多列コンベア３０において多行多列に配置された区画室３３の各列における区画室３３の個数すなわち行数と同じかそれより多い。このような配置の区画室４３は、区画室３３の行数より個数の多い一列に並んだものとなっている。
【００１０】
なお、図示は割愛したが、２度撒きの文字や，使用すべきマスの個数，縦横のマス数，使用すべきマスの位置，マス群の周囲の囲みなどを示す表示器を予備撒きカセット２０に付設したものや（例えば特許文献１，２参照）、予備撒きカセットを出し入れ可能な枠体の上面に装備した開閉式の蓋体について、薬品名を選択可能に表示させるとともに選択薬剤の手撒き範囲を点灯させるもの（例えば特許文献３参照）、予備撒きカセットを出し入れ可能な枠体の上面の手撒部に薬剤投入用の区画貫通孔を形成するとともに点灯部材を付設しておいて、手撒き範囲だけ点灯させるとともに手撒き範囲の薬剤だけ予備撒きカセットに移し替えるようになったものもある（例えば特許文献４参照）。
【００１１】
そして、このような薬剤手撒き装置１４では、手撒きに先立って予備撒きカセット２０が筐体１１から引き出され、そのマス２２に指示箋や表示に従って薬剤が手撒され、手撒き後は、予備撒きカセット２０が筐体１１に戻され、収納状態の薬剤手撒き装置１４から一括して薬剤が多列コンベア３０に移し替えられる。すなわち、多数のマス２２に区分けされた薬剤は、各マス２２からその直下に一つずつ対応して位置する区画室３３に落下するので、手撒き時の区分状態を維持したまま移し替えられる。
【００１２】
それから、薬剤分包機１０の自動分包に連動して、多列コンベア３０の区画室３３のうち先頭の一列分の薬剤が単列コンベア４０の区画室４３に区分状態を維持しながら移し替えられ、さらに単列コンベア４０の区画室４３のうち先頭の一室分の薬剤がホッパ１３を介して包装機１２に投入される。そして、一室分ずつ小分けした薬剤の投入が繰り返されて、単列コンベア４０が空になると、多列コンベア３０から先頭一列分の薬剤が単列コンベア４０に移し替えられ、一室分ずつ小分けした薬剤の投入が再開される。こうして、薬剤が手撒き時の区分に従って自動で薬剤手撒き装置１４から一区分ずつ分包に供される。
【００１３】
【特許文献１】特開平３−２４０６０４号公報
【特許文献２】特開平０６−０８０１０３号公報
【特許文献３】特開２００７−２０９６００号公報
【特許文献４】特開２００７−２９７０６６号公報
【発明の開示】
【発明が解決しようとする課題】
【００１４】
このような従来の薬剤手撒き装置では、多列コンベア３０においては無端ベルト３１と可動板３２とが、また単列コンベア４０においては無端ベルト４１と可動板４２とが、共に可撓性部材・弾性部材から作られていたため、コンベア端で折り返しながら区画室３３，４３から薬剤を落下排出するときに区画室３３，４３が開口を広げる態様で大きく変形することから、薬剤が落下せずに区画室３３，４３の中に残ることが無いので、薬剤の移載や排出が円滑かつ確実に行われる。
【００１５】
しかしながら、無端ベルト３１，４１に多数の可動板３２，４２を適切に植設するのは例え同質の可撓性部材・弾性部材を貼り合わせるのであっても作業負担が重いうえ工材費が嵩む。
特に、区画室３３の多い多列コンベア３０については、固定板３４で仕切られているため、可動板３２が小さく分割されて多数になっているので、植設作業の量が多い。
そこで、多列コンベアを容易かつ安価に製造できるよう多列コンベアの構造を改良することが基本的な技術課題となる。
【課題を解決するための手段】
【００１６】
本発明の薬剤手撒き装置は（解決手段１）、このような課題を解決するために創案されたものであり、多行多列に並んだ多数のマスを具備した予備撒きカセットと、それより列数の多い多行多列に並んだ多数の区画室を具備していて前記予備撒きカセットから一括して薬剤を受け取る多列コンベアと、その行数より個数の多い一列に並んだ多数の区画室を具備していて前記多列コンベアから一列分ずつ薬剤を受け取る単列コンベアとを具えた薬剤手撒き装置において、前記多列コンベアが、平行配置されていて一緒に駆動される一対の無端ベルトに前記予備撒きカセットのマスの列数より多くの区画列部材を装架したものであり、前記区画列部材が、前記多列コンベアの一列分の区画室を一体形成したものであることを特徴とする。
【００１７】
また、本発明の薬剤手撒き装置は（解決手段２）、上記解決手段１の薬剤手撒き装置であって、前記区画列部材の区画室は、開口が広く内底が狭い錐台状になっていることを特徴とする。
さらに、本発明の薬剤手撒き装置は（解決手段３）、上記解決手段１，２の薬剤手撒き装置であって、前記区画列部材の区画室の内側面に縦線状の突起が形成されていることを特徴とする。
また、本発明の薬剤手撒き装置は（解決手段４）、上記解決手段１〜３の薬剤手撒き装置であって、前記区画列部材の区画室の内底が粗面になっていることを特徴とする。
【発明の効果】
【００１８】
このような本発明の薬剤手撒き装置にあっては（解決手段１）、多列コンベアを一対の無端ベルトと複数の区画列部材との組み合わせで構成するとともに、それぞれの区画列部材には一列分の区画室を一体形成したものを採用して、区画列部材を無端ベルト対に装架して無端ベルト対を平行配置すれば、多列コンベアの要部が出来上るようにしたことにより、多列コンベアの工材費が削減されるうえ、組み立て作業負担が大幅に軽減される。
したがって、この発明によれば、多列コンベアの製造が容易かつ安価な薬剤手撒き装置を実現することができる。
【００１９】
また、無端ベルトは可撓性・弾性を捨てる訳にはいかないが、区画列部材は、可撓性部材・弾性部材でなく、通常の使用状態ではほとんど変形しない固めの部材たとえば硬質プラスチック等で作ることも可能なので、そのような固形部材にて区画列部材を作れば、多列コンベアの組み立て作業がより容易になる。
なお、区画列部材を固くすると、コンベア端で折り返しながら区画室から薬剤を落下排出するときに区画室が開口を広げる態様で大きく変形することにより薬剤が円滑かつ確実に落下排出されるという利点が失われてしまうので、それを補うべく改良を重ねることが更なる技術課題となるが、この更なる技術課題をも解決するために創案されたものが解決手段２〜４である。
【００２０】
すなわち、本発明の薬剤手撒き装置にあっては（解決手段２〜４）、区画列部材の区画室について、錐台状にして薬剤が区画室の内面に引っ掛かり難くしたり、内側面に縦線状の突起を形成したり内底を粗面にして接触面積を減少させて薬剤が区画室の内面に付き難くしたり、又はそれらを併用することにより、区画列部材を傾けたり逆さにすれば、薬剤が区画室の中にとどまることなく、薬剤が確実に区画室の中から外に出て落下する。
したがって、この発明によれば、容易かつ安価に製造しうる多列コンベアに組み込まれる区画列部材を一体成形容易化のため固くしても薬剤の移載や排出が円滑かつ確実に行われる薬剤手撒き装置を実現することができる。
【発明を実施するための最良の形態】
【００２１】
このような本発明の薬剤手撒き装置を実施するための望ましい形態は、多行多列に並んだ多数のマスを具備しており引き出して又は引き出さなくても薬剤を手撒きできる態様で筐体に装備された予備撒きカセットと、それより列数の多い多行多列に並んだ多数の区画室を具備しており前記筐体内に設けられて前記予備撒きカセットから一括して薬剤を受け取る多列コンベアと、その行数より個数の多い一列に並んだ多数の区画室を具備しており前記筐体内に設けられて前記多列コンベアから一列分ずつ薬剤を受け取る単列コンベアとを具えた薬剤手撒き装置において、前記多列コンベアが、平行配置されていて一緒に駆動される一対の無端ベルトに前記予備撒きカセットのマスの列数より多くの区画列部材を装架したものであり、前記区画列部材が、前記多列コンベアの一列分の区画室を一体形成したものであることを特徴とする。
【００２２】
このような本発明の薬剤手撒き装置について、これを実施するための具体的な形態を、以下の実施例１により説明する。
なお、それらの図示に際しては、簡明化等のため、ベース，フレーム，ボルト等の締結具，ヒンジ等の連結具，モータドライバ等の電気回路，コントローラ等の電子回路などは図示を割愛し、発明の説明に必要なものや関連するものを中心に図示した。
また、それらの図示に際し従来と同様の構成要素には同一の符号を付して示したので、さらに、それらについて背景技術の欄で述べたことは以下の実施例についても共通するので、重複する再度の説明は割愛し、以下、従来との相違点を中心に説明する。
【実施例１】
【００２３】
本発明の薬剤手撒き装置の一実施例について、その具体的な構成を、図面を引用して説明する。図１は、（ａ）が薬剤手撒き装置５０の正面図、（ｂ）が多列コンベア８０の要部の斜視図、（ｃ）が無端ベルト８１の斜視図、（ｄ）が区画列部材９０の斜視図である。また、図２は、（ａ）が区画列部材９０を避けて縦に切断した多列コンベア８０の右側面図、（ｂ）が区画列部材９０も縦に切断した多列コンベア８０の右側面図、（ｃ）が多列コンベア８０の正面図である。
【００２４】
この薬剤手撒き装置５０は（図１（ａ）参照）、多行多列に並んだ多数のマス２２を具備しており筐体１１から引き出し可能に設けられた予備撒きカセット２０と、それより列数の多い多行多列に並んだ多数の区画室９３を具備しており筐体１１の内部に設けられて予備撒きカセット２０から一括して薬剤を受け取る多列コンベア８０と、その行数より個数の多い一列に並んだ多数の区画室４３を具備しており筐体１１の内部に設けられて多列コンベア８０から一列分ずつ薬剤を受け取る単列コンベア４０とを具えている。
【００２５】
これらのうち予備撒きカセット２０と単列コンベア４０は既述した従来品を引き継いだものなので、以下、既述した従来の多列コンベア３０と相違する多列コンベア８０について、その構造を詳述する。
多列コンベア８０は（図１，図２参照）、平行配置された一対の無端ベルト８１と、このベルト対を一緒に循環駆動する連結ギヤ８４を一対以上と、予備撒きカセット２０のマス２２の列数（図では１１列）より多く（図では２４個）の区画列部材９０とを具えたものであり、中段の多列コンベア３０に代えて、上段の予備撒きカセット２０の直ぐ下、下段の単列コンベア４０の斜め上に設置されている。
【００２６】
無端ベルト８１は、内周面に歯形８３の形成された幅狭の歯付ベルト８２であり、合成ゴム等のフレキシブルな素材から作られた市販のいわゆるタイミングベルトで足りるので、安価であり、入手も容易である。
連結ギヤ８４は、連結ロッドの両端にギヤを固定したものであり、一端のギヤが無端ベルト８１の対の一方の歯形８３に噛合し、他端のギヤが無端ベルト８１の対の他方の歯形８３に噛合している。図示のように一対だけでも足りるが、予備撒きカセット２０の直下のものを平行に配置すれば、一対以上設けても良く、何れか一つの連結ギヤ８４がモータ３５にて軸回転駆動され、他は無端ベルト８１を介して従動するようになっている。
【００２７】
区画列部材９０には、多列コンベア３０の区画室３３に相当する区画室９３が形成されているが、一列分（図では６室）の区画室９３が形成されており、区画列部材９０は、例えば硬質プラスチックから射出成型等で一体形成されている。区画列部材９０の形状は、上面の解放された長箱体９１の内部空間に等ピッチで隔壁９２を配して、同じ形状の区画室９３を列設したようになっている。区画室９３は、何れも、内側面に開口側で広がるような傾斜がつけられて、開口が広く内底が狭い錐台状になっている。図示の例では四面すべてが傾斜しているが、対向二面だけ傾斜させて残りの二面は傾けないのでも良い。
【００２８】
また、区画列部材９０の区画室９３の内側面には縦線状の突起９５が形成されている。突起９５は、区画室９３の内側面の全域に形成しても良く、一部に限定しても良いが、限定する場合でも傾斜部分の内側面には突起９５を形成しておくのが望ましい。突起９５の高さは０．２〜０．５ｍｍ程度が典型的であるが、他の値でも良い。さらに、区画列部材９０は区画室９３の内底が粗面になっている。その粗面はザラザラした触感を生じる程度に微小突起を散りばめたものが望ましく、微小突起と谷底との高低差は０．１ｍｍ程度が典型的であるが、他の値でも良い。
【００２９】
さらに、区画列部材９０は、外底面（底壁外面・裏面・下面）の両端部それぞれに、挟持部９４が設けられている。挟持部９４は、長箱体９１と一緒に形成しても良く、長箱体９１に後付しても良いが、基端部が長箱体９１の外底面から突き出し、中間部が長箱体９１の長手方向に向きを変えて長箱体９１の底面とほぼ平行な状態になり、先端部が長箱体９１の端面のほぼ直下まで延びている。挟持部９４の中間部と先端部は、歯付ベルト８２の歯形８３の谷に納まり易い直棒状に形成されており、挟持部９４と長箱体９１との間に歯付ベルト８２を差し込むことで、無端ベルト８１が区画列部材９０の端部に位置ずれすることなく挟持されるようになっている。
【００３０】
このような区画列部材９０の一端に一対の無端ベルト８１の一方を挟持させ、区画列部材９０の他端に一対の無端ベルト８１の他方を挟持させることで、区画列部材９０が無端ベルト８１に架け渡たされるようになっているので、連結ギヤ８４のギヤ対に張設した一対の無端ベルト８１に対し、多数の区画列部材９０を等ピッチで架け渡すことで、多列コンベア８０が出来上がる。
なお、区画室９３の画成に仕切用の固定板３４は不要となっているが、固定板３４に類似したガイド用の固定板やロッド等は安定動作等のため適宜付設しても良い。例えば、細長いガイド部材を無端ベルト８１と平行に配置するとともに、隔壁９２の上半分に溝を形成しておき、その溝にガイド部材を遊嵌させて区画列部材９０を案内させても良い。
【００３１】
この実施例１の薬剤手撒き装置５０について、その使用態様及び動作を説明する。多列コンベア８０の機能は従来の多列コンベア３０と同じなので、基本的な使い方や動作は既述したのと同様である。
【００３２】
すなわち、薬剤手撒き装置５０でも、手撒きに先立って予備撒きカセット２０が筐体１１から引き出され、そのマス２２に指示箋や表示に従って薬剤が手撒され、手撒き後は、予備撒きカセット２０が筐体１１に戻され、収納状態の予備撒きカセット２０から一括して薬剤が多列コンベア８０に移し替えられる。そのとき、多数のマス２２に区分けされた薬剤は、各マス２２からその直下に一つずつ対応して位置する区画室９３に落下するので、手撒き時の区分状態を維持したまま移し替えられる。
【００３３】
それから、薬剤分包機１０の自動分包に連動して、多列コンベア８０の区画列部材９０の区画室９３のうち先頭の一列分の薬剤すなわち区画列部材９０一本分の薬剤が単列コンベア４０の区画室４３に区分状態を維持しながら移し替えられ、さらに単列コンベア４０の区画室４３のうち先頭の一室分の薬剤がホッパ１３を介して包装機１２に投入される。そして、一室分ずつ小分けした薬剤の投入が繰り返されて、単列コンベア４０が空になると、多列コンベア８０から先頭一列分の薬剤が単列コンベア４０に移し替えられ、一室分ずつ小分けした薬剤の投入が再開される。こうして、薬剤が手撒き時の区分に従って自動で薬剤手撒き装置５０から各区分ずつ分包に供される。
【００３４】
このように薬剤手撒き装置５０の基本的な動作は多列コンベア８０も含めて従来同様であるが、改良品である多列コンベア８０の動作について詳述する。モータ３５が作動して連結ギヤ８４が軸回転し、それによって無端ベルト８１が循環し、それに運ばれて区画列部材９０が進行し、無端ベルト８１の上側部分に支えられて区画室９３の開口を上に向けている薬剤受取位置から、やがて、無端ベルト８１の転回部分で区画室９３の開口を横や斜め下に向ける先頭位置・排出位置に、すなわちコンベア端の折り返し位置に、区画列部材９０が到達する。すると、その区画列部材９０の区画室９３から薬剤が滑り落ちるが、区画室９３は、開口が広くなっているうえ、内側面には縦線状の突起９５が形成され、内底粗面には微小突起が形成されいるので、薬剤は円滑かつ確実に落下排出される。
【００３５】
なお、薬剤が通常より貼り付き易いものの場合、区画列部材９０が先頭の排出位置に来る度に、モータ３５の正転逆転を短周期で繰り返し切り替える反転振動動作をモータ３５に行わせることにより、先頭位置・排出位置に最も近い連結ギヤ８４を振動的に微小角で揺動させ、先頭の排出位置に来た区画列部材９０を激しく揺さぶって、薬剤を区画列部材９０から振り落とす、という動作制御を行うのも良い。そのとき、他の連結ギヤ８４はブレーキ等で動かないようにしておくともっと良い。
【００３６】
［その他］
上記実施例では、予備撒きカセット２０のマス２２が６行１１列に並んでいたが、一日３回で７日分の薬剤の手撒きを重視してマス２２を３行７列に並べても良く、一日４回で１０日分の薬剤の手撒きを重視してマス２２を４行１０列に並べても良く、一日４回で１４日分の薬剤の手撒きを重視してマス２２を８行１４列に並べても良く、筐体内に装備可能であれば、その他の行数列数でマス２２の縦横配置がなされても良い。
【産業上の利用可能性】
【００３７】
本発明の薬剤手撒き装置は、図３に示した錠剤分包機に組み込める他、散薬分包機や錠剤散薬混合タイプの薬剤分包機にも組み込むことができる。また、筐体に薬剤手撒き装置と包装機とを装備して、手撒き式の分包機にすることもできる。
また、筐体に薬剤手撒き装置を装備する具体的な態様は、上記実施例のように予備撒きカセットを筐体から引き出し可能に実装する態様に限られる訳ではない。予備撒きカセットのマスに薬剤を手撒きできれば良いので、例えば、予備撒きカセットを筐体上面に固定しても良く、予備撒きカセットを筐体の天板に着脱するのでも良い。
【図面の簡単な説明】
【００３８】
【図１】本発明の一実施例について、薬剤手撒き装置の構造を示し、（ａ）が薬剤手撒き装置の正面図、（ｂ）が多列コンベアの要部の斜視図、（ｃ）が無端ベルトの斜視図、（ｄ）が区画列部材の斜視図である。
【図２】（ａ）が区画列部材を避けて縦に切断した多列コンベアの右側面図、（ｂ）が区画列部材も縦に切断した多列コンベアの右側面図、（ｃ）が多列コンベアの正面図である。
【図３】薬剤手撒き装置を装備した薬剤分包機の構造を示し、（ａ）が正面図、（ｂ）が右側面図である。
【図４】従来の薬剤手撒き装置の構造を示し、（ａ）が正面図、（ｂ）が予備撒きカセット収納状態の右側面図、（ｃ）が予備撒きカセット引出状態の右側面図である。
【図５】従来の薬剤手撒き装置の構造を示し、（ａ）が予備撒きカセット収納状態の平面図、（ｂ）が予備撒きカセットを取り除いた多列コンベアと単列コンベアの平面図、（ｃ）が予備撒きカセットと多列コンベアを取り除いた単列コンベアの平面図である。
【符号の説明】
【００３９】
１０…薬剤分包機、
１１…筐体、１２…包装機、１３…ホッパ、１４…薬剤手撒き装置、
２０…予備撒きカセット、
２１…カセット枠、２２…マス、
２３…引出部材、２４…シャッタ作動部材、２５…モータ、
３０…多列コンベア（コンベヤー）、
３１…無端ベルト、３２…可動板（隔板）、
３３…区画室、３４…固定板（仕切板，側板）、３５…モータ、
４０…単列コンベア（コンベヤー）、
４１…無端ベルト、４２…可動板（隔板）、
４３…区画室、４４…固定板（側板）、４５…モータ、
５０…薬剤手撒き装置、
８０…多列コンベア（コンベヤー）、
８１…無端ベルト、８２…歯付ベルト、８３…歯形、８４…連結ギヤ、
９０…区画列部材、
９１…長箱体、９２…隔壁、９３…区画室、９４…挟持部、９５…突起
【図１】
2010005225.tif 000003
【図２】
2010005225.tif 000004
【図３】
2010005225.tif 000005
【図４】
2010005225.tif 000006
【図５】
2010005225.tif 000007